(57)【要約】【課題】空間内の表面を清浄にして、微生物および／またはウイルスの負荷を低減する。【解決手段】微生物またはウイルスに汚染された面を清浄にするための方法は、微生物またはウイルスに汚染された面を含む環境を閉鎖することと、閉鎖された環境内部に装置を配置することと、装置の容器内の水を撹拌して、固体またはゲルパックにガス状清浄剤を放出させることと、容器から浮遊飛沫を発生させるとともに、ガス状清浄剤を閉鎖された環境内部に拡散させて汚染された面をコーティングすることと、ガス状清浄剤を、面の微生物またはウイルスの汚染を低減するための有効時間、汚染された面に滞留させることと、閉鎖された環境中のガス状清浄剤の濃度が安全な限度まで減少するのに十分な時間が経過した後に、閉鎖された環境へのアクセスを許容することと、を含む。【選択図】図１
2019069270.tif 000002
【特許請求の範囲】
【請求項１】
微生物またはウイルスに汚染された面を清浄にするための方法であって、
微生物またはウイルスに汚染された面を含む環境を閉鎖することと、
閉鎖された前記環境内部に装置を配置することであって、前記装置は容器を備え、前記容器はその内部に水とともに固体またはゲルパックを有し、前記固体またはゲルパックは水と接触するとガス状清浄剤を放出して同ガス状清浄剤を前記容器から上方に噴出させるものであることと、
前記装置の前記容器内の前記水を撹拌して、前記固体またはゲルパックにガス状清浄剤を放出させることと、
前記容器から浮遊飛沫を発生させるとともに、前記ガス状清浄剤を前記閉鎖された環境内部に拡散させて前記汚染された面をコーティングすることと、
前記ガス状清浄剤が、前記面の微生物またはウイルスの汚染を低減するための有効時間、前記汚染された面に滞留することを許容することと、
前記環境中の前記ガス状清浄剤の濃度が安全な限度まで減少するのに十分な時間が経過した後に、前記閉鎖された環境へのアクセスを許容することと、を含む方法。
【請求項２】
前記装置は、車両のキャビン内のカップホルダの内部に嵌合するようにサイズ決めされる、請求項１に記載の方法。
【請求項３】
前記装置は、検出器と、いつ前記ガス状清浄剤の濃度が安全なレベルまで低下したかを示すインジケータとを備える、請求項１に記載の方法。
【請求項４】
前記装置はモータを有し、前記装置の前記モータを作動させるステップは、遠隔で実行される、請求項１に記載の方法。
【請求項５】
前記有効時間は、約１０〜約３０分間の範囲の有効時間を含む、請求項１に記載の方法。
【請求項６】
前記閉鎖したキャビン内の内面の微生物およびウイルスの負荷を低減する前記有効時間は、前記環境中から臭いを除去する有効時間である、請求項１に記載の方法。
【請求項７】
前記閉鎖された環境は、最長約８時間にわたって閉鎖された状態で維持されることを含む、請求項１に記載の方法。
【請求項８】
前記容器は、モータによって駆動されるインペラを内部に備える、請求項１に記載の方法。
【請求項９】
前記固体またはゲルパックが二酸化塩素を含むガス状清浄剤を放出する、請求項１に記載の方法。
【請求項１０】
微生物またはウイルスに汚染された面を清浄にするための方法であって、
微生物またはウイルスに汚染された面を含む環境を外部環境から閉鎖することと、
閉鎖された前記環境内部に装置を配置することであって、前記装置は容器を備え、前記容器はその内部に水とともに固体またはゲルパックを有し、前記固体またはゲルパックは水と接触すると二酸化塩素を含むガス状清浄剤を放出して同ガス状清浄剤を前記容器から上方に噴出させるものであることと、
前記装置の前記容器内の前記水を撹拌して、前記固体またはゲルパックにガス状清浄剤を放出させることと、
前記容器から浮遊飛沫を発生させるとともに、前記ガス状清浄剤を前記閉鎖された環境内部に拡散させることと、
前記閉鎖された環境内の内面を前記ガス状清浄剤によってコーティングして、前記内面の微生物またはウイルスの汚染を低減するための有効時間、前記ガス状清浄剤を前記内面に滞留させることを許容することと、を含む方法。
【請求項１１】
前記装置は、車両のキャビン内のカップホルダの内部に嵌合するようにサイズ決めされる、請求項１０に記載の方法。
【請求項１２】
前記装置は、検出器と、いつ前記ガス状清浄剤の濃度が安全なレベルまで低下したかを示すインジケータとを備える、請求項１０に記載の方法。
【請求項１３】
前記装置はモータを有し、前記装置の前記モータを作動させるステップは、遠隔で実行される、請求項１０に記載の方法。
【請求項１４】
前記有効時間は、約１０〜約３０分間の範囲の有効時間を含む、請求項１０に記載の方法。
【請求項１５】
前記容器は、モータによって駆動されるインペラを内部に備える、請求項１０に記載の方法。
【請求項１６】
前記閉鎖された環境は、最長約８時間にわたって閉鎖された状態で維持されることを含む、請求項１０に記載の方法。
【請求項１７】
微生物またはウイルスに汚染された面を清浄にするための方法であって、
微生物またはウイルスに汚染された面を含む環境を外部環境から閉鎖することと、
閉鎖された前記環境内部に装置を配置することであって、前記装置は容器を備え、前記容器はその内部に水とともに固体またはゲルパックを有し、前記固体またはゲルパックは水と接触すると二酸化塩素を含むガス状清浄剤を放出して同ガス状清浄剤を前記容器から上方に噴出させるものであることと、
前記装置の前記容器内の前記水をインペラで撹拌して、前記固体またはゲルパックにガス状清浄剤を放出させることと、
前記容器から浮遊飛沫を発生させるとともに、前記ガス状清浄剤を前記閉鎖された環境内部に拡散させることと、
前記ガス状清浄剤が汚染された内面をコーティングして、前記閉鎖された環境内のそれら内面に前記ガス状清浄剤が有効時間滞留して、それら内面を汚染している微生物またはウイルスを少なくとも８０％低減することを許容することと、を含む方法。
【請求項１８】
特定の汚染種の微生物またはウイルスの汚染が少なくとも９８％低減される、請求項１７に記載の方法。
【請求項１９】
特定の汚染種の微生物またはウイルスの汚染が少なくとも８０％低減される、請求項１に記載の方法。
【請求項２０】
特定の汚染種の微生物またはウイルスの汚染が少なくとも８０％低減される、請求項１０に記載の方法。
【請求項２１】
前記容器がノズルを有する蓋を含み、
前記浮遊飛沫を発生させることは、前記蓋の前記ノズルを通じて前記浮遊飛沫を発生させることを含む、請求項１に記載の方法。
【請求項２２】
前記容器がノズルを有する蓋を含み、
前記浮遊飛沫を発生させることは、前記蓋の前記ノズルを通じて前記浮遊飛沫を発生させることを含む、請求項１０に記載の方法。
【請求項２３】
前記容器がノズルを有する蓋を含み、
前記浮遊飛沫を発生させることは、前記蓋の前記ノズルを通じて前記浮遊飛沫を発生させることを含む、請求項１７に記載の方法。
【発明の詳細な説明】
【技術分野】
【０００１】
本技術は、汚染表面を清浄にするための、これら表面への清浄剤の空中散布のための方法に関する。より詳細には、本技術は、汚染を低減または除去するための、車両の人を運ぶ空間などの密閉された空間において、ヒトの健康に有害であり得、接触感染を引き起こす可能性のある微生物および／またはウイルスの負荷によって汚染された表面の清浄化に関する。
【背景技術】
【０００２】
接触感染症の蔓延は、それがインフルエンザ、一般的な風邪、もしくはエボラなどの潜在性致死ウイルスであろうと、または現時点では知られていないもしくは特定されていない微生物疾患もしくはウイルス性疾患であろうと、ますます懸念されるようになっている。この説明のために、微細な菌類は「微生物」という用語に含まれる。これらの微生物およびウイルスのほとんどは接触によって蔓延する。すなわち、最初の人が、（例えば、保菌者と握手する、または汚染された表面に触れることによって）何らかの表面に接触し、その汚染を獲得し、感染し、それをさらに別の人に移す。この感染の連鎖はよく知られている。微生物であれウイルスであれ、一部の汚染物質は、空気を介した手段によって蔓延しているようである。これには、咳および汚染された病原菌を含む痰の微細な噴霧の放出が含まれる。
【０００３】
近代的な都市環境では、主な輸送手段の１つが密閉された車両であり、そうした車両は、航空機、バス、列車、ボート、自動車、ＳＵＶ、およびトラックなどであるが、これらに限定されない。これらの中には、一般大衆が使用できる車両があり、大衆の一部の人は、微生物またはウイルスを通じて蔓延する伝染病に罹患している場合がある。車両のキャビン内の乗客が通常座る表面は、時間の経過とともに生きた微生物およびウイルス性汚染物質によってひどく汚染される場合がある。したがって、これらの表面は、接触を通じて他の乗客に微生物またはウイルス性疾患を蔓延させる働きをする。
【０００４】
公共用でない個人または家族用の輸送機関であっても、家族の一員が病気になっている場合があり、表面を汚染することにより、接触伝染性疾患を他の家族に移す可能性がある。これは特に、学齢児童が学校で同級生から微生物やウイルス感染を「拾い集め」、家族の車両で汚染された表面を通じてそれを親兄弟に移す可能性があるというリスクである。いくつかの微生物またはウイルスは長生きする可能性があり、またこれらに対する免疫は容易に得られない場合がある。したがって、疾患が再発する可能性がある。ただ単に表面を拭き取っても、表面が滑らかでなく、まったくアクセス可能でない場合があるため、表面上の微生物またはウイルスの負荷を除去できないかもしれない。例えば、表面は、多くの場合ざらざらしており、微生物およびウイルスの負荷が持続する可能性のある接合部および他の特徴を有する場合がある。
【０００５】
新たに製造された車両に関しては、組立て中に車両が汚染されていない限り、表面上の微生物またはウイルスの負荷の可能性は低い。一方、「中古」または「使用済み」の車両が汚染されており、潜在的な感染源となる可能性は比較的高い。潜在的な健康問題の他に、中古車または使用済みの自動車には審美的な問題があることも多い。すなわち、中古車または使用済みの車は、キャビン空間内で運ばれたペット、または前の所有者による（誤った）使用方法によって、キャビン空間に臭いがあることがある。これは、車両の再販価格に悪影響を及ぼす可能性がある。
【０００６】
公衆衛生の観点からは、車両の乗客を運ぶキャビン空間内の表面を清浄にして、微生物および／またはウイルスの負荷を低減する必要がある。さらに、これを行う公衆衛生上の必要性があるだけでなく、公用車、使用済みの車、または中古車のキャビン空間から望ましくない臭いを取り除くビジネス上または経済的な必要性もある。
【発明の概要】
【０００７】
この概要は、本発明の例示的実施形態の特徴のいくつかの概略を示すことを意図している。これらおよび追加の特徴は、以下の発明を実施するための形態でより詳細に説明される。その記述は、添付の特許請求の範囲に記載されている本発明の範囲を限定するものではない。
【０００８】
例示的実施形態において、微生物およびウイルスの負荷を含む汚染のあるキャビン空間内部の表面を清浄にする方法が提供される。本方法は、キャビン空間内部を密閉するステップと、水と、固体またはゲルパックとを装置の容器内に配置するステップを含む。蓋を閉鎖している場合、ノズルは、好ましくは、容器内の圧力蓄積を避けるために開いているべきである。装置のモータは、容器内のインペラを回転させることによって、水を撹拌し、装置の容器内に水の渦を発生させるように作動される。この撹拌により、固体またはゲルパックはガス状清浄剤を放出する。次に、ステップは、装置の蓋のノズルがまだ開いていない場合には開き、ノズルから浮遊飛沫を発生させることを含む。飛沫は、非常に微細な飛沫に同伴する水のミストと共に、ガス状の作用物質を含む。蓋は、浮遊飛沫がノズルから出る前に、浮遊飛沫に同伴していたかもしれないより大きなサイズの水滴の少なくとも一部を落とす。容器から出てくる浮遊飛沫は、キャビン空間内部全体に広がり、キャビン空間内部で清浄にすべき表面をコーティングする。キャビンは、浮遊飛沫によるコーティングが表面上に滞留して汚染の負荷を除去するかまたは実質的に低減する間、有効期間にわたって閉鎖された状態で維持される。この方法を実施するために使用される装置は、円形の第１の端部および円形の第２の端部を有する略円錐台形の容器を備え、円形の第２の端部は、円形の第１の端部の直径より大きい直径を有する。容器の側面は、容器の側面が湾曲するように、第１の端部近くでわずかに凸状である。装置は、電動モータを収容するハウジングを備え、ハウジングは、容器の円形の第１の端部に取り外し可能かつ密封するように取り付けられる。ハウジングは底部を有し、底部上に装置が組み立てられ、使用中であるときに直立した状態であることができる。装置は、固体またはゲルパックと一緒に水を撹拌するために容器内に配置された、電動モータによって駆動されるインペラを有するスピンドルを備える。容器は、容器の第２の端部に取り外し可能かつ密封して係合するようにサイズ決めおよび構成された蓋を有する。蓋は、蓋の遠位領域の中に液体バッフルを有し、蓋は、蓋の頂部から延びるノズルを有する。ノズルは、蓋および閉鎖された容器を密閉するためのカバーを有する。
【０００９】
任意選択的に、キャビン空間内部を密閉するステップは、車両キャビンのドア、窓、および空気循環システムの通風口を閉鎖することを含む。
任意選択的に、固体またはゲルパックは、水と接触したときにガス状清浄剤として二酸化塩素を放出する製剤を含む。
【００１０】
任意選択的に、キャビン空間内部を密閉するステップは、車両キャビンのドア、窓、および空気循環システムの通風口を閉鎖することを含み、キャビンの空気循環システムをオンにすることをさらに含むことができる。
【００１１】
任意選択的に、浮遊飛沫によるコーティングが表面の内部に滞留して、前記汚染の負荷を除去するかまたは実質的に低減する間、キャビンを閉鎖された状態で維持するステップは、少なくとも２０分の有効期間にわたる。
【００１２】
任意選択的に、本方法は、キャビン空間内部の空気中のガス状清浄剤の濃度を決定するために検出器を使用することをさらに含む。また、本方法は、濃度が安全なレベルにあるときにキャビンを開放することを含む。
【００１３】
任意選択的に、検出器を使用するステップは、ガス状清浄剤の安全な濃度のレベルを示す装置のインジケータを観察することを含む。
任意選択的に、装置のモータは、充電式バッテリによって、またはキャビン空間内に位置する電源コンセントへの接続によって電力が供給される。
【００１４】
任意選択的に、装置は、キャビン空間内のカップホルダの内部に嵌合するようにサイズ決めされる。
任意選択的に、装置のモータを作動させるステップは、遠隔で実行される。
【００１５】
任意選択的に、蓋のノズルを開くステップは、遠隔で実行される。
任意選択的に、浮遊飛沫によるコーティングが表面の内部に滞留して、前記汚染の負荷を除去するかまたは実質的に低減する間、キャビンを閉鎖された状態で維持するステップは、キャビン内部から臭いを除去することをさらに含む。
【００１６】
別の例示的実施形態では、微生物またはウイルスに汚染された、自動車、トラック、ＳＵＶ、またはトラクタートレーラーのキャビン内部を清浄にするためのシステムが提供される。システムは、キャビンを外部環境から密閉し、キャビンの空気再循環システムを始動させることを含む。これはさらに、キャビン内部に配置されるポータブル装置を選択することを含み、この装置は、円形の第１の端部および円形の第２の端部を有する略円錐台形の容器を備え、円形の第２の端部は、円形の第１の端部の直径より大きい直径を有する。電動モータを収容するハウジングは、容器の円形の第１の端部に取り外し可能かつ密封するように取り付けられている。また、ハウジングは底部を有し、底部上に装置が立てられ、使用中であるときに直立した状態である。ガス状清浄剤を放出する固体またはゲルパックと一緒に水を撹拌するために、容器内に配置された電動モータによって駆動されるインペラを有するスピンドルがある。蓋は、容器の第２の端部に取り外し可能かつ密封して係合するようにサイズ決めおよび構成され、蓋の遠位領域に液体バッフルを有する。蓋は、蓋の頂部から延びるノズルを有し、ノズルは、蓋および閉鎖された容器を密閉するためのカバーを有し、ノズルは、キャビン空間全体にガス状清浄剤を広げる速度で、ノズルから浮遊飛沫を放出するようにサイズ決めされている。システムは、所定の量の水と、ガス状清浄剤を放出する化学薬品とを装置の容器内に添加し、好ましくはノズルを開いた状態で維持したまま装置の蓋を閉めることを含む。次に、さらなるステップにおいて、システムは、回転するインペラの作用によって容器内に水の渦を形成させるように装置のモータを作動させることを含む。飛沫に同伴するより大きな水滴は、ノズルから出る飛沫から落とされ、ノズルは、微細な水滴を含む場合があるガス状清浄剤を含んだ浮遊飛沫を放出する。清浄化を可能にするために、システムは、放出されたガス状清浄剤のコーティングを有効時間にわたって滞留させて、閉鎖したキャビン内の内面の微生物およびウイルスの負荷を低減する間、キャビンを閉鎖した状態で維持する。
【００１７】
任意選択的に、装置は、キャビン空間内のカップホルダの内部に嵌合するようにサイズ決めされ、装置のモータは、キャビン空間内に位置する電源コンセントに接続されることによって電力が供給される。
【００１８】
任意選択的に、装置は、検出器と、いつガス状清浄剤の濃度が安全なレベルまで低下したかを示すインジケータとを備える。
任意選択的に、装置のモータを作動させるステップは、遠隔で実行される。
【００１９】
任意選択的に、キャビンを閉鎖した状態で維持することによって、清浄剤がキャビン内部から臭いを除去することも可能にする。任意選択的に、キャビンを密閉された状態で維持することによって清浄剤を有効な時間、清浄にされるべき表面に滞留させることによって、キャビンを約１２〜約３０分間閉鎖した状態で維持することを含む。
【００２０】
本技術の前述の態様および付随する利点の多くは、例示的実施形態の添付の簡略化された図面と併せたときに、以下の発明を実施するための形態を参照することによって、より容易に理解されるであろう。以下で簡単に説明する図面は縮尺通りではなく、説明を容易にするために提示され、添付の特許請求の範囲に列挙された発明の範囲を制限するものではない。
【図面の簡単な説明】
【００２１】
【図１】密閉された空間内の汚染された表面を清浄にする方法のステップのいくつかを例示する例示的実施形態の概略的フローチャートである。
【図２Ａ】その容器からのガス状清浄剤の生成を示す装置の例示的実施形態である。
【図２Ｂ】キャビン全体に空中ガス状清浄剤を放出する図２Ａの装置の例示的実施形態を示す車両の例示的な切欠図である。
【図３Ａ】密閉された空間内の汚染された表面を清浄にするための方法およびシステムにおいて有用な装置の例示的実施形態の概略図である。
【図３Ｂ】図３Ａの装置の構成要素を示す分解図である。
【図４Ａ】図３Ａおよび図３Ｂの蓋のような、例示的な装置のための別の例示的な蓋の代替図を示す。
【図４Ｂ】図３Ａおよび図３Ｂの蓋のような、例示的な装置のための別の例示的な蓋の代替図を示す。
【発明を実施するための形態】
【００２２】
本発明の実施形態の実施例の以下の非限定的な詳細な説明は、添付の図面を参照することができ、図面に限定されないが、図面は本技術の特徴の説明を深めるために提示される。さらに、詳細な説明は、明瞭さのために適切で必要なものとして、いくつかは本明細書で定義されている特定の当該技術分野の用語を参照してもよい。
【００２３】
本明細書および特許請求の範囲で使用される「キャビン」という用語は、空間内部の空気が抜去も追加もされないように、例えば、空間のドア、窓、およびもしあれば通風口システムを閉鎖することによって、容易に密閉することができる汚染された表面を含む空間を意味する。しかしながら、空気は、例えば、空気循環システムの作動、またはキャビン内でのファンの使用によって、キャビン内で再循環させることが可能である。
【００２４】
表面に対するガス状清浄剤に関して使用される「コーティング」または「コーティングする」という用語は、例えば車両内の縫い合わせられた座席およびダッシュボート等に見出されるように微細な表面テクスチャ、表面パターン、および密な間隙空間を備えた表面を空中に浮遊するミストがコーティングし、それによって表面を清浄にするように、ガス状作用物質が表面上に滞留することを意味し、また、このガス状作用物質は飛沫に同伴する微細な水滴を運んでいる場合があり、そうした液滴は溶存したガス状清浄剤を含有するミストを形成する。
【００２５】
キャビン内の表面に関連して使用される場合の「汚染」または「汚染負荷」という用語は、微生物、菌類、またはウイルスによる汚染を意味し、さらに、例えば、腐敗した有機物、糞便等の悪臭を引き起こす汚染物質を含む。
【００２６】
「有効期間」という用語は、清浄剤がキャビン内の表面を清浄にするためにキャビン内に滞留する時間に関連するため、有効期間は約１０〜約３０分の間で変化してもよく、特に、約１５〜約２０分であることができる。達成されるべき清浄度（汚染物質負荷の低減の程度）および使用される化学清浄剤の性質に依存して、より長いまたはより短い時間が有効であり得る。例えば、キャビン空間によっては、２回以上の処理を必要とするか、または所望の清浄レベルおよび脱臭レベルを達成するためにガス状清浄剤が表面に最長８時間、すなわち一晩滞留することを要求するほど非常に汚染された表面を有している場合がある。
【００２７】
「汚染負荷の有意な減少」という用語は、特定の汚染種の汚染負荷が、例示的実施形態では清浄化後に少なくとも８０％、またはいくつかの実施形態では清浄化後に少なくとも９８％減少されることを意味する。
【００２８】
図１を参照すると、例示的なフローチャートでは、図示されたシステムまたは方法においていくつかの簡単なステップがある。プロセスがブロック１１０で開始すると、処理されるべき汚染された表面を内部に有するキャビンはブロック１２０で閉鎖される。例えば、図２に１８０として例示されるような使用済みの自動車では、すべてのドア、窓、および空気循環システムが閉鎖される。したがって、閉鎖されたキャビン内で生じる可能性のあるドアおよび窓のシール周囲の自然な流れを除いて、空気はキャビン内に出入りしない。ドアが開放され、固体またはゲルパック形態の化学薬品を含む液体を収容する装置（図３Ａおよび図３Ｂならびに図４Ａおよび図４Ｂを参照しながら後に説明する）がブロック１３０においてキャビン内に配置され、キャビンが閉鎖される（ステップ１２０は、ステップ１３０の後に行うことができ、すなわち、その順序は重要ではないことに留意されたい）。数分後、閉鎖された装置内の化学薬品はガス状清浄剤を生成し、その結果、水はわずかに濁る。この段階で、ブロック１４０において、装置のモータが起動される。装置のノズルは、まだ開放されていなければ開放され、ノズルは、ノズルからのガス状作用物質の流れが、火山からの溶岩のように上方に噴出し、図２Ｂで矢印２０５により示されるようにキャビン内部全体を流れるように、サイズ決めされる。後に説明するように、ノズルは、装置から出るときにガス状清浄剤の気流から飛沫に同伴する大きな液滴を除去する、バッフルのような内部構造を有する。理論により束縛されないが、より小さい微細な液滴が飛沫に同伴し、ガス状清浄剤で表面をコーティングし浸透するのを助けることが理論化されている。任意の化学清浄剤と同様に、清浄剤は、ブロック１５０のように、汚染負荷の有意な減少に有効な期間、表面に滞留させるべきである。任意選択的に、この待機期間（ブロック１５０）の間、処理されている車両（ブロック１６０）は、空気循環システムを再循環モードで作動させることができる。このことによって、清浄剤が、空気循環システムの一部を形成するダクト系統およびフィルタに入ることができ、潜在的なアレルゲン、微生物、および菌類のこれらを清浄にできる。有効時間が経過し、キャビンへの入室が安全であるとみなされた後、キャビンはブロック１７０において開放することができ、清浄化プロセスが完了する。
【００２９】
本発明のシステムおよび方法を実施するのに有用な装置の例示的実施形態が、図３Ａ、図３Ｂ、ならびに図４Ａおよび図４Ｂに示されている。図示されているように、装置２００は容器２１０を有する。容器２１０は、緩やかに凸状に湾曲した側面を有し、また一端にある底部２２０および他端にある蓋２５０を有する。容器２１０は、その上端において、その底部２２０近傍の直径２１４よりも大きい直径２１２を有する。底部２２０は、底部内にあるバッテリパック（充電式または非充電式）、または電気コンセントへの電気的接続のいずれかによって駆動されるモータを含む。スピンドル２２６は、モータスピンドル２２２と係合し、モータスピンドル２２２と調和して回転する係合ホイール２２４上に載置される。インペラ２３０は、スピンドル２２６が回転するとインペラ２３０が回転するようにスピンドル２２６に摩擦嵌合するキャビティ２３２を有する。図示される例示的実施形態のインペラは、下向きに湾曲した１つの馬蹄部２３４および上向きに湾曲した馬蹄部２３６がそれぞれの湾曲の頂点で共通平面内で結合されるように、２つの馬蹄部を有する「二重馬蹄形」を有する。この設計によって、容器２１０内の液体が、容器内の回転するインペラによって急速に撹拌されるときに、渦形状が容易に形成される。保護カバー２２８は、モータを容器２１０の内容物から遮蔽し、スピンドル２２６の周りに嵌合する。スピンドル２２６は、カバーの中心の穴を通って軸方向に突出する。スピンドルは、カバー２２８の下の空間への漏れを回避または最小限にするために、穴に対して適切にシールされる。
【００３０】
より詳細には図４Ａおよび図４Ｂを参照すると、蓋２５０の代替的に示された例示的実施形態は、容器の上部リップに係合することによって容器２１０の上端に摩擦嵌合できるか、または容器の上部リップ（図示せず）の対応するねじ山に係合する、蓋２５０の下端２６２に螺合２６０することによって、容器２１０にねじ留めすることができる。蓋２５０は、ノズル２５４を有する頂部２５２を有する。ノズル２５４は、ノズル２５４から延びるノズル閉鎖タブ２５６を備える。図２Ａを簡単に参照すると、使用時には、例示的な容器２１０は部分的に水２７２で満たされ、水と接触するとガス状清浄剤を放出する固体２７５またはゲルパック２７５は水の容器内に配置される。モータが作動すると、清浄ガスはすぐに放出され始める。矢印２３５によって示されるように、回転するインペラ２３０による撹拌によってガスの放出が加速し、これによって水が図に示すように容器２１０内に渦を形成する。十分なガス状作用物質が放出されると、ガス状清浄剤は浮遊飛沫としてノズルを通って上方に噴出され、キャビン空間を満たし、表面の清浄化を開始する。したがって、ノズル２５４は、図４Ａに示す内径２５５を有する。内径２５５は、清浄にされるキャビン空間の所望の領域全体を通る浮遊飛沫を発生させる速度および運動量の両方をガス状清浄剤の放出が有するような速さで、ガス状清浄剤がノズルを通って容器から放出されるようなサイズにされる。例えば、浮遊飛沫の速度は、車のキャビンを通過するのに十分である。大型ＳＵＶまたはトラクタートレーラーのキャビンのような他の実施形態では、浮遊飛沫によるキャビン全体への浸透を達成するために複数の装置が必要とされる場合がある。容器からのフォームおよび大きな液滴の両方またはそのいずれかの放出を避けるために、蓋は、底部領域に細かいメッシュ材料２６６で覆われたスポークの間に空間を有する車輪構造によって例示されるバッフル２６４を備える。さらに、ノズルは、その底部に、ガス状清浄剤の流れのための穿孔を含む別のバッフル２５８を備えることができる。
【００３１】
ガス状清浄剤は二酸化塩素として記載されているが、他の類似のガス状作用物質も有用であり得る。さらに、清浄にされたキャビンの内部に快適な匂いを付与するために、または「化学的」な臭いを隠すために、付臭剤を添加してもよい。
【００３２】
本技術の実施形態の例は、例としても本文およびいくつかの実施例において提示され、記載されたが、本発明の範囲から逸脱することなく、記載された技術においてさまざまな変更および修正が行われてもよいことが理解されるであろう。本発明の範囲は、添付の特許請求の範囲の範囲に記載されており、適宜解釈され、解釈されるように、添付の特許請求の範囲によってのみ限定される。
【図１】
2019069270.tif 000003
【図２Ａ】
2019069270.tif 000004
【図２Ｂ】
2019069270.tif 000005
【図３Ａ】
2019069270.tif 000006
【図３Ｂ】
2019069270.tif 000007
【図４Ａ】
2019069270.tif 000008
【図４Ｂ】
2019069270.tif 000009